(57)【特許請求の範囲】
【請求項１】
上部に上階の排水管継手の下端直管部が挿入接続される上部受け口部を備え、下端に排水立て管の上端部が接続される立て管連結部を備えたソケットであって、
前記上部受け口部は、前記上階の排水管継手の下端直管部が挿入接続された位置よりもさらに上方に相対移動可能であり且つ該相対移動させた状態で傾倒可能に設定されているとともに、内側には、前記上階の排水管継手の下端直管部の外周面に当接する面が曲面として形成された上側パッキンが保持されており、前記上側パッキンが前記上階の排水管継手の下端直管部の外周面に当接することにより前記上階の排水管継手の下端直管部が該上部受け口部に水密な状態で挿入接続される構成とされており、
前記立て管連結部は、排水立て管の上端部が嵌装される下部受け口部と、前記排水立て管の外周に遊嵌されて前記下部受け口部に着脱可能に固定されるフランジ部材と、前記下部受け口部の下端に設けられたテーパ状凹部と前記フランジ部材との間に配置される環状の下側パッキンと、を備え、前記排水立て管の上端部が前記下部受け口部に嵌装された状態で前記下側パッキンが前記フランジ部材と前記テーパ状凹部とにより押圧されて圧縮変形させられて前記排水立て管の上端部の外周面に当接することにより該ソケットが前記排水立て管の上端部に水密な状態で連結される構成とされていることを特徴とするソケット。
【請求項２】
請求項１に記載のソケットであって、
前記上部受け口部は、直管部と、前記直管部の内周面よりも内方で前記上側パッキンが前記上階の排水管継手の下端直管部の外周面に当接するように前記上側パッキンを保持することのできるパッキン保持部と、を有し、
前記上階の排水管継手の下端直管部の外周面と前記直管部の内周面との間隙は、８ｍｍ以上１５ｍｍ以下であることを特徴とするソケット。
【請求項３】
請求項１または請求項２に記載のソケットであって、
前記上部受け口部は、内側に環状の溝形状で該溝形状の奥部に環状の突起が形成された上側パッキン嵌合部を有しており、前記上側パッキンは断面略円形で環状の外周に沿って切り欠き溝が形成されており、前記上側パッキンの切り欠き溝と前記突起とが係合された状態で前記溝形状の上側パッキン嵌合部に嵌合されて前記上側パッキンが前記上部受け口部の内側に保持される構成とされていることを特徴とする排水設備。
【請求項４】
請求項１から請求項３のうちいずれか１項に記載のソケットが上端部に連結された排水立て管を備えた排水管設備の更新方法であって、
該排水管設備は、上階と下階とを仕切るコンクリートスラブを貫通して各階に固定された排水管継手を備え、前記ソケットの上部受け口部に上階の排水管継手の下端直管部が挿入接続されるとともに前記排水立て管の下端部が下階の排水管継手の上受け口に接続される構成とされており、
前記ソケットの立て管連結部の連結を解除して、該ソケットと前記排水立て管との連結を解除する連結解除工程と、
前記連結解除工程により前記排水立て管から分離されたソケットを上方に相対移動させるとともに傾倒し、該ソケットを斜め下方に相対移動させることにより前記上階の排水立て管の下端直管部から該ソケットの上部受け口部を引き抜くソケット撤去工程と、
前記ソケット撤去工程の後に、前記排水立て管の下端部と下階の排水管継手の上受け口との接続を解除して該排水立て管を撤去する排水立て管撤去工程と、を有することを特徴とする排水管設備の更新方法。
【発明の詳細な説明】
【技術分野】
【０００１】
本発明は、排水立て管の上端部に連結されて排水立て管の上部受け口として機能するソケット及びそのソケットが上端部に連結された排水立て管を備えた排水管設備の更新方法に関する。
【背景技術】
【０００２】
近年、長期利用を目的としたいくつかの住宅形態が提案・実用化されている。その一つとして、建物のスケルトン（柱・梁・床等の構造躯体）とインフィル（住戸内の内装・設備等）とを分離した工法によるＳＩ住宅がある。ＳＩ住宅は、スケルトンの耐久性を向上させると共に、インフィルの可変性を向上させることにより、生活スタイルの変化に応じて内装やレイアウトを変更しながら１００年使用できることから、通称１００年住宅とも呼ばれている。これに関連して、本出願人に係る特許文献１には、更新、洗浄等のメンテナンスの容易性を向上させることにより、ＳＩ住宅に好適な排水設備が開示されている。この排水設備によれば、スケルトン部分の床面を構成するコンクリートスラブには、スケルトン部分の耐用年数と略等しい耐用年数のスラブ貫通短管が固定されている。そして、そのスラブ貫通短管の上部受け口に挿入接続された排水管継手と、下端接続部に接続された排水立て管とは、専有部と共に更新可能に構成されている。
【０００３】
また、長期利用を目的とした別の住宅形態のとしては、“２００年もたせる住宅”が提案されている。すなわち、建物のスケルトンとインフィルとを区分し、スケルトンの耐用年数を２００年、インフィルの耐用年数を２０年とし、２０年ごとに点検・補修し、それを１０回繰り返すことで、２０年×１０回で住宅を２００年もたせるという発想に基づく住宅である。このような住宅においては、排水設備の更新の容易性は一層重視されることとなる。しかし、従来一般の排水立て管は更新の際に切断して上下の排水管継手から外される構成となっていたため、施工現場での切断が規制されている場合や、金属管であるために騒音発生やあるいは端材や切り粉の発生等の問題により切断が推奨されない場合、実際には更新が困難となる場合があった。
【０００４】
そこで、本発明者は、排水立て管の受け口を上階に固定された排水管継手の下端直管部に対して深く挿入することで排水立て管の下端部を下階に固定された排水管継手の上部から引き抜くことのできる排水設備を既に提案している。このような排水設備によれば排水立て管を切断せずに更新することができる。
【０００５】
【特許文献１】特開２００５−１４６５２５号公報
【発明の開示】
【発明が解決しようとする課題】
【０００６】
しかしながら、排水立て管を切断せずに更新可能であっても、更新作業は新設時と比較して狭い場所での工事になることが多いため、排水立て管が長いままでは作業性が悪かったり、あるいは、搬出しにくい場合があり、その点については改善の余地があった。
【０００７】
そこで、本発明は、排水立て管を切断せずに取り外し可能とするとともに、その取り外した排水立て管の運搬性をも向上させることを課題とした。
【課題を解決するための手段】
【０００８】
本発明は、上記課題を解決するための手段として以下の手段をとる。
まず、第１の発明は、上部に上階の排水管継手の下端直管部が挿入接続される上部受け口部を備え、下端に排水立て管の上端部が接続される立て管連結部を備えたソケットであって、前記上部受け口部は、前記上階の排水管継手の下端直管部が挿入接続された位置よりもさらに上方に相対移動可能であり且つ該相対移動させた状態で傾倒可能に設定されているとともに、内側には、前記上階の排水管継手の下端直管部の外周面に当接する面が曲面として形成された上側パッキンが保持されており、前記上側パッキンが前記上階の排水管継手の下端直管部の外周面に当接することにより前記上階の排水管継手の下端直管部が該上部受け口部に水密な状態で挿入接続される構成とされており、前記立て管連結部は、排水立て管の上端部が嵌装される下部受け口部と、前記排水立て管の外周に遊嵌されて前記下部受け口部に着脱可能に固定されるフランジ部材と、前記下部受け口部の下端に設けられたテーパ状凹部と前記フランジ部材との間に配置される環状の下側パッキンと、を備え、前記排水立て管の上端部が前記下部受け口部に嵌装された状態で前記下側パッキンが前記フランジ部材と前記テーパ状凹部とにより押圧されて圧縮変形させられて前記排水立て管の上端部の外周面に当接することにより該ソケットが前記排水立て管の上端部に水密な状態で連結される構成とされていることを特徴とする。
第１の発明のソケットは、ソケットの下端に設けられた立て管連結部が排水立て管の上端部に連結されて排水立て管の上部受け口として機能することができる。立て管連結部は、ソケットの下端に設けられた下部受け口部に排水立て管の上端部が嵌装された状態で下側パッキンがフランジ部材とテーパ状凹部とにより押圧されて圧縮変形させられて排水立て管の外周面に当接することにより該ソケットが排水立て管に水密な状態で連結される、いわゆるメカニカル形の連結形態とされている。それにより、連結解除可能に排水立て管の上部と連結されるとともに、排水立て管の材質を選ばず、排水用塩ビライニング硬管等の施工現場での切断が好ましくない金属管等にも連結可能である。一方、このソケットの上部受け口部は、上階の排水管継手の下端直管部が挿入接続された位置よりもさらに上方に相対移動可能であり且つ該相対移動させた状態で傾倒可能に設定されている。立て管連結部及び上部受け口部がこのような構成とされていることにより、上部受け口部が上階の排水管継手の下端直管部が挿入接続され、立て管連結部が排水立て管の上端部に接続されて排水管設備に組み込まれている状態において、立て管連結部の連結を解除して、ソケットを上方に持ち上げて斜め下方に引き抜くことによりソケットを独立して取り外すことができる。排水立て管から上部受け口として機能するソケットを分離した状態で取り外すことができるため、排水立て管を切断しなくても比較的短くすることができ運搬性を向上させることができる。更に、このソケットの上部受け口部の内側に保持された上側パッキンは、上階の排水管継手の下端直管部の外周面に当接する面が曲面として形成されているため、下端直管部の外周面に対する接触面積を極めて小さくしながらも、下端直管部と上部受け口とを水密な状態で維持可能な状態で維持することができる。下端直管部の外周面に対する接触面積が小さいことにより、長期間使用しても上側パッキンは下端直管部の外周面に癒着しにくく、ソケットを下端直管部から容易に引き抜くことができる。
【０００９】
第２の発明は、上記第１の発明のソケットにおいて、前記上部受け口部は、直管部と、前記直管部の内周面よりも内方で前記上側パッキンが前記上階の排水管継手の下端直管部の外周面に当接するように前記上側パッキンを保持することのできるパッキン保持部と、を有し、前記上階の排水管継手の下端直管部の外周面と前記直管部の内周面との間隙は、８ｍｍ以上１５ｍｍ以下であることを特徴とする。
第２の発明によれば、上部受け口部を不必要に大型化することなく、ソケットを上方に持ち上げて斜め下方に引き抜くことにより取り外し可能とすることができる。
【００１０】
第３の発明は、上記第１又は第２の発明のソケットにおいて、上部受け口部は、内側に環状の溝形状で該溝形状の奥部に環状の突起が形成された上側パッキン嵌合部を有しており、前記上側パッキンは断面略円形で環状の外周に沿って切り欠き溝が形成されており、前記上側パッキンの切り欠き溝と前記突起とが係合された状態で前記溝形状の上側パッキン嵌合部に嵌合されて前記上側パッキンが前記上部受け口部の内側に保持される構成とされていることを特徴とする。
第３の発明によれば、上側パッキンの切り欠き溝とパッキン嵌合部の突起を係合させることにより上側パッキンの滑り止めが可能である。
【００１１】
第４の発明は、上記第１から３のうちいずれかの発明のソケットが上端部に連結された排水立て管を備えた排水管設備の更新方法であって、該排水管設備は、上階と下階とを仕切るコンクリートスラブを貫通して各階に固定された排水管継手を備え、前記ソケットの上部受け口部に上階の排水管継手の下端直管部が挿入接続されるとともに前記排水立て管の下端部が下階の排水管継手の上受け口に接続される構成とされており、前記ソケットの立て管連結部の連結を解除して、該ソケットと前記排水立て管との連結を解除する連結解除工程と、前記連結解除工程により前記排水立て管から分離されたソケットを上方に相対移動させるとともに傾倒し、該ソケットを斜め下方に相対移動させることにより前記上階の排水立て管の下端直管部から該ソケットの上部受け口部を引き抜くソケット撤去工程と、前記ソケット撤去工程の後に、前記排水立て管の下端部と下階の排水管継手の上受け口との接続を解除して該排水立て管を撤去する排水立て管撤去工程と、を有することを特徴とする。
第４の発明によれば、更新時にソケットと排水立て管とを分離し、より短い状態で取り扱うことができるため作業性に優れるとともに、撤去された排水立て管は運搬性に優れる。
【発明の効果】
【００１２】
本発明によれば、排水立て管を切断せずに取外し可能とし、かつ取り外した排水立て管の運搬性をも向上させることができる。
【発明を実施するための最良の形態】
【００１３】
以下、図面を参照しながら、本発明を実施するための最良の形態について説明する。
［実施形態１］
図１〜７を参照しながら実施形態１について説明する。図１は、本発明の実施形態１に係るソケット２０の組み込まれた排水管設備１０の側面図である。排水管設備１０は、排水管継手１２と排水立て管４０とソケット２０とで構成されている。先ず、この排水管設備１０を構成する各部材について説明する。
【００１４】
＜排水管継手１２について＞
排水管継手１２は、集合住宅の上階と下階とを仕切るコンクリートスラブＣＳを貫通して各階に設置されている。この排水管継手１２の胴部は上下分割式であり、上胴体１４と下胴体１６とが水密な状態で同軸に接続されている。下胴体１６がコンクリートスラブＣＳの貫通孔ＣＨに通された状態でロックウールＧが貫通孔ＣＨに充填され、その貫通孔ＣＨの上部に例えば３ｃｍ程度のモルタルＭｒが充填されて埋め戻されている。下胴体１６は、上部には横枝管１８が連結される横枝管受け口１６ａが設けられており、下部にはコンクリートスラブＣＳから下方に突出する直管状の下端直管部１６ｂが設けられている。
上胴体１４の上端部には、排水立て管４０の下端部（下端挿し口）４２が挿入接続される上受け口１４ａが形成されている。上受け口１４ａの内部には、略筒状で排水立て管４０の下端挿し口４２の端面を直接支持する受け部を有するシール材が装着されており（図示省略）、排水立て管４０の下端挿し口４２がシール材の受け部に当接するまで挿入される。排水立て管４０の下端挿し口４２を上受け口１４ａに挿入可能な寸法（呑込み深さ寸法）Ｄ１は、Ｄ１＝６５ｍｍに設定されている。
【００１５】
＜排水立て管４０について＞
排水立て管４０は、直管状の排水用塩ビライニング鋼管（ＤＶＬＰ）である。下端部（下端挿し口）４２は上述のとおり下階の排水管継手１２の上受け口１４ａに挿入接続される。一方、上端部４４にはソケット２０が接続される。この排水立て管４０は、全長Ｌが、Ｌ＝１７８０ｍｍに設定されている。
【００１６】
＜ソケット２０について＞
図２は、実施形態１に係るソケット２０の縦断面図である。ソケット２０は、鋳鉄製であり、排水立て管４０と同径の直管状の頸部２４を有し、その上部に上階の排水管継手１２の下端直管部１６ｂが挿入接続される上部受け口部２２を備えている。上部受け口部２２は、頸部２４よりも大径の直管部２２ａを有しており、上部受け口部２２の直管部２２ａと頸部２４の間には上方に拡開するテーパ状の境界拡開部２８が形成されている。なお、本実施形態では、頸部２４の軸線に対する境界拡開部２８の傾きαが、α＝１５°に設定されている。頸部２４の下端には、排水立て管４０の上端部４４が接続される立て管連結部２６が設けられている。
【００１７】
立て管連結部２６は、頸部２４を拡径して形成された下部受け口部６０と、環状のパッキン６２と、フランジ部材６４とを備えている。下部受け口部６０は、排水立て管４０の上端部４４が嵌合可能となっており、該下部受け口部６０の下端にはテーパ状凹部６６が形成されているとともに、水平に外方へ張り出す鍔部６８が形成されている。環状のパッキン６２は、上面がテーパ状凹部６６に嵌合可能な斜面形状として形成された断面角型のパッキンであり、ここでは後述する上側パッキンと区別するために下側パッキンと称する。フランジ部材６４は、排水立て管４０に遊嵌可能な環状で水平に外方に広がっており、外形が下部受け口部６０の鍔部６８と略同形に形成されている。内側の上面には段差部６４ａが形成されており、下側パッキン６２の下端が嵌合可能となっている。排水立て管４０にフランジ部材６４と下側パッキン６２とが遊嵌され、排水立て管４０の上端部４４が下部受け口部６０に嵌装された状態で、鍔部６８とフランジ部材６４とをボルト・ナット６９で締結する。ボルト・ナット６９の締結により鍔部６８とフランジ部材６４とが近接すると、下側パッキン６２が下部受け口部６０のテーパ状凹部６６とフランジ部材６４の段差部６４ａとに嵌合して押圧され、圧縮変形させられて排水立て管４０の上端部４４の外周面に圧着当接する。それにより、ソケット２０が排水立て管４０の上端部４４に水密な状態で連結される。このように、立て管連結部２６は、いわゆるメカニカル形の連結形式をとり、連結解除可能な状態で排水立て管４０に連結される。
【００１８】
上階の排水管継手１２の下端直管部１６ｂが挿入接続される上部受け口部２２は、基本的に“やり取り”可能に構成されている。ここで、“やり取り”とは、上方の固定配管に対して上部受け口部２２を通常よりも深く挿入したうえで傾きを変えて、ソケット２０あるいはソケット２０に連結された排水立て管４０の下端を下方の固定配管と接続または接続解除する操作を意味している。
上部受け口部２２は、開口付近に内方に突出したパッキン取り付け部５４を有し、該パッキン取り付け部５４の内面に溝５２が形成されており、断面円形のいわゆるＯリングパッキン５０が嵌合している。このＯリングパッキン５０が本発明の上側パッキンに相当する。図６（Ａ）に本実施形態のパッキン取り付け部５４を拡大して示した。溝５２は、上面と下面とが斜面として形成された両斜面台形溝である。Ｏリングパッキン５０が上下の斜面に当接した状態で溝５２に保持されている。溝５２に保持されたＯリングパッキン５０が排水管継手１２の下端直管部１６ｂの外周面に当接することにより、下端直管部１６ｂがソケット２０の上部受け口部２２に水密な状態で挿入接続される。このとき、直管部２２ａの内周面よりも内方でＯリングパッキン５０が排水管継手１２の下端直管部１６ｂの外周面に接し、直管部２２ａの内周面と下端直管部１６ｂの外周面との間に所定の間隙Ｆが生じる構成とされている（図２参照）。本実施形態では、直管部２２ａの内径φは、φ＝１４４ｍｍに設定されており、Ｆ＝１３ｍｍに設定されている。
【００１９】
図２に示すように、上部受け口部２２の上端からＯリングパッキン５０の嵌合した溝５２の開口の中心線までの長さｄは、ｄ＝１０ｍｍに設定されており、上部受け口部２２と排水管継手１２の下端直管部１６ｂとを水密な状態で確実に接続するのに必要な最小挿入寸法である必要呑込み深さＮは、Ｎ＝５０ｍｍに設定されている。すなわち、排水管継手１２の下端直管部１６ｂが上部受け口部２２に必要呑込み深さＮだけ挿入された状態で下端直管部１６ｂと上部受け口部２２とが接続される。以下、この接続状態を通常接続状態と称する。上部受け口部２２の寸法は、通常接続状態よりも更に深く排水管継手１２の下端直管部１６ｂを挿入可能な長さ寸法に設定されている。
本実施形態では、上部受け口部２２の長さ（上部受け口部２２の上端部から直管部２２ａの下端までの長さ）Ｄｘは、必要呑込み深さＮに加え、排水管継手１２の上受け口１４ａの呑込み深さ寸法Ｄ１と、くぐり代Ｋに基づいて設定される。ここで、くぐり代Ｋとは、図５に示すように、ソケット２０と排水立て管４０とを連結した状態でやり取りする際に必要な排水管継手１２の上受け口１４ａと排水立て管４０の下端との隙間である。Ｄｘは、Ｄｘ≧Ｎ＋Ｄ１＋Ｋに設定される。本実施形態図においては、くぐり代Ｋ＝２０ｍｍに設定されており、Ｄｘ＝Ｎ＋Ｄ１＋Ｋ＝５０ｍｍ＋６５ｍｍ＋２０ｍｍ＝１３５ｍｍに設定されている。それに対応し、下端直管部１６ｂの挿入可能な長さは１３５ｍｍ（Ｄｘ）以上に設定されている。そのため、排水管継手１２の下端直管部１６ｂが上部受け口部２２に必要呑込み深さＮ（５０ｍｍ）挿入された通常接続状態から、さらにＤ１＋Ｋ（６５ｍｍ＋２０ｍｍ＝８５ｍｍ）だけ深く挿入可能となっている。
このように、上部受け口部２２は、下端直管部１６ｂに対して通常接続状態からさらに深く挿入可能となっているとともに直管部２２ａの内周面と下端直管部１６ｂの外周面との間には間隙Ｆが設けられているため、ソケット２０を上方に相対移動させた状態で傾倒させてやり取りすることができる。図３には、ソケット２０を通常接続状態からさらにＤ１＋Ｋ（６５ｍｍ＋２０ｍｍ＝８５ｍｍ）だけ深く挿入して傾倒させたときの様子を示している。このソケット２０は、下端直管部１６ｂの軸心に対するソケット２０の傾きβが、β＝５°のとき、直管部２２ａの内周面と下端直管部１６ｂの間隙Ｆ´は、Ｆ´＝２ｍｍとなる。
なお、通常状態における下端直管部１６ｂの下端と排水立て管４０の上端面との距離がソケット２０の有効長Ｕであり、Ｕ＝２００ｍｍに設定されている（図２参照）。したがって、ソケット２０と排水立て管４０との連結体の全長Ｌｘは、Ｌｘ＝排水立て管４０の全長Ｌ＋ソケット２０の有効長Ｕ＋必要呑込み深さＮ＝１７８０ｍｍ＋２００ｍｍ＋５０ｍｍ＝２０３０ｍｍである。
【００２０】
次に、上記排水管設備１０の排水立て管４０の更新方法を説明する。上記排水管設備１０においては、大別して二通りの更新方法がある。
＜第１の更新方法＞
第１の更新方法では、先ず、図４（Ａ）に示すように、ソケット２０の立て管連結部２６の連結を解除する（連結解除工程）。すなわち、ボルト・ナット６９の締結を外し、ソケット２０からフランジ部材６４を分離する。このとき、フランジ部材６４を少し下げた位置で排水立て管４０の外周面に粘着テープｔ等で仮留めしておくと作業しやすい。
次に、ソケット２０を上方へ移動し傾けて斜め下方へ移動する。ソケット２０を上方に移動させることにより、ソケット２０の下部受け口部６０を排水立て管４０の上端部４４から引き抜き、続いてソケット２０を斜め下方に移動させることにより、ソケット２０の上部受け口部２２を上階の排水管継手１２の下端直管部１６ｂから引き抜く。つまり、ソケット２０を単独でやり取りして取り外す（ソケット撤去工程）。ソケット２０は、上述の通りＤ１＋Ｋ（６５ｍｍ＋２０ｍｍ＝８５ｍｍ）だけ上方へ移動可能に設定されている。このソケット撤去工程では、少なくともソケット２０が引き抜き可能な位置まで上方へ移動させればよく、必ずしも８５ｍｍ上方へ移動させる必要はない。なお、ソケット２０を引き抜く際に排水立て管４０を若干傾けても差し支えない。
次に、図４（Ｂ）に示すように、排水立て管４０を下階の排水管継手１２の上受け口１４ａから引き抜くことにより排水立て管４０を取り外す（排水立て管撤去工程）。
以上の手順で排水管設備１０から排水立て管４０が除去される。この第１の更新方法によれば、排水立て管４０は単独で取り外されるので、その長さはＬ＝１７８０ｍｍである。
そして、この逆の手順で排水立て管４０及びソケット２０を配管して更新が完了される。
【００２１】
＜第２の更新方法＞
第２の更新方法では、図５に示すように、ソケット２０と排水立て管４０の連結体を上方へ移動し傾けて斜め下方へ移動する。つまり、ソケット２０と排水立て管４０の連結体をＤ１＋Ｋ（６５ｍｍ＋２０ｍｍ）＝８５ｍｍ上方に移動させることにより、排水立て管４０の下端部４２を下階の排水管継手１２の上受け口１４ａから引き抜く。続いてソケット２０と排水立て管４０との連結体を傾けて下方に移動させることにより、ソケット２０の上部受け口部２２を上階の排水管継手１２の下端直管部１６ｂから引き抜く。以上の作業によりソケット２０と排水立て管４０とを一体でやり取りして取り外すことができる。取り外されたソケット２０と排水立て管４０との連結体の全長Ｌｘは、上記のとおりＬｘ＝２０３０ｍｍである。
そして、この逆の手順で排水立て管４０及びソケット２０を配管して更新が完了される。
【００２２】
上記ソケット２０によれば、以下の作用効果を奏する。
ソケット２０は、立て管連結部２６により排水立て管４０の上端部４４に連結解除可能に連結される構成とされているとともに、上部受け口部２２がやり取り可能に設定されている。したがって、ソケット２０を排水立て管４０とは分離してやり取りにより排水管設備１０から取り外すことができる（上記第１の更新方法）。それにより、排水立て管４０を切断せずに取り外すことができる。その際、ソケット２０を分離して取り外すことにより、排水立て管４０を受け口のないより短い状態で取り扱うことができる。それにより、狭い場所での更新作業の作業性が改善されるとともに運搬性が向上する。例えば、エレベータでの運搬も可能とすることができる。
また、上部受け口部２２の開口部に装着された上側パッキンが断面円形のＯリングパッキン５０であり、排水管継手１２の下端直管部１６ｂの外周面に当接する面が曲面であるから、下端直管部１６ｂの外周面に対する接触面積を極めて小さくしながらも、下端直管部１６ｂと上部受け口部２２とを水密な状態で維持することができる。接触面積が小さいことにより、長期間使用しても下端直管部１６ｂの外周面に癒着しにくく、より容易にソケット２０をやり取りすることができる。また、Ｏリングパッキン５０は断面円形で中実であるので、環状舌片からなるパッキン等に比較してひび割れが生じにくい点でも有利である。
また、本実施形態のソケット２０は、排水立て管４０と連結された状態でやり取りして更新することもできる（上記第２の更新方法）。更新作業スペース等の事情に応じて更新方法を適宜選択することができ、更新作業の自由度がより高い点で有利である。なお、ソケット２０と排水立て管４０とを一体で取り外した場合はそのまま一体で運搬してもよいが、ソケット２０と排水立て管４０とを分離して運搬してもよい。
このソケット２０を用いれば排水立て管４０を切断しなくても容易に更新して搬出することが可能であるから、使用済みの排水立て管４０を更生加工の上、再使用可能とすることもできる。
【００２３】
＜変更例＞
ここで、本発明は上記の実施形態１に限定されるものではなく、本発明の要旨を逸脱しない範囲における変更が可能である。
例えば、上側パッキンであるＯリングパッキン５０の嵌合する溝５２の形状は、図６（Ａ）に示した上面と下面とが斜面として形成された両斜面台形溝に限定されるものではない。例えば、図６（Ｂ）に示すように上面が斜面として形成されており下面が水平面として形成された上斜面台形溝５２ｂや、あるいは図６（Ｃ）に示すように、上面が水平面として形成されており下面が斜面として形成されている下斜面台形溝５２ｃでもよい。これらの溝５２，５２ｂ，５２ｃは、下端直管部１６ｂの挿入時にＯリングパッキン５０に生じる反力を斜面で受けるためより効率よく下端直管部１６ｂと上部受け口部２２とを水密な状態に維持することが可能である。
また、上側パッキンは断面円形のＯリングパッキン５０に限らず、少なくとも排水管継手１２の下端直管部１６ｂの外周面に当接する面が曲面として形成されている環状のパッキンを使用することができる。Ｏリングパッキン５０以外の上側パッキンの一例として、図７（Ａ）に示すパッキン５６が挙げられる。このパッキン５６は、溝５２に嵌合する面が略角形であり下端直管部１６ｂの外周面に接触する面が曲面として形成されたパッキン（以下、台形パッキンと称する。）である。図７のＡ〜Ｃ図には、台形パッキン５６が各種形状の溝に嵌合している様子を図６のＡ〜Ｃ図に対応させて示している。すなわち、図７（Ａ）では、台形パッキン５６が両斜面台形溝５２に嵌合しており、図７（Ｂ）では、台形パッキン５６が上斜面台形溝５２ｂに嵌合しており、図７（Ｃ）では、台形パッキン５６が下斜面台形溝５２ｃに嵌合している様子を示している。このような台形パッキン５６を用いれば、下端直管部１６ｂの外周面に接する面が曲面であるからＯリングパッキン５０と同様に癒着しにくい。更に溝５２，５２ｂ，５２ｃに嵌合する面が略角形であるから排水管継手１２の下端直管部１６ｂをソケット２０の上部受け口部２２に挿入する際、当該台形パッキン５６が上部受け口部２２へ引き込まれるのを防ぐことができる。
なお、このような癒着しにくいパッキンを用いた場合であっても必要に応じて老朽・硬化したパッキンを軟化させたり継手との癒着面を溶かす薬剤を利用するとよい。
【００２４】
［実施形態２］
次に、図８〜１２を参照しながら実施形態２について説明する。図８は、本発明の実施形態２に係るソケット８０の組み込まれた排水管設備７０の側面図である。この実施形態２は、排水管設備７０が、各階のコンクリートスラブＣＳに埋め戻された排水管継手７２と排水立て管９０とソケット８０とで構成されている点では実施形態１と同じである。排水管継手７２の全長が実施形態１の排水管継手１２よりも短いために、上階の排水管継手７２の下端から下階の排水管継手７２の上端までの距離がより長い点で上記実施形態１とは相違している。先ず、この排水管設備７０を構成する各部材について説明する。なお、変更を要しない部分については上記実施形態１と同じ符号を用いて図示し、詳細な説明を省略する。
【００２５】
＜排水管継手７２について＞
排水管継手７２は、胴部７４がコンクリートスラブＣＳに埋め戻されており、上端部には、排水立て管９０の下端部９２が挿入接続される上受け口７４ａが形成されており、下部にはコンクリートスラブＣＳより下方に突出する直管状の下端直管部７６が設けられている。上受け口７４ａの構成は上記実施形態１の上受け口１４ａと同様であり、呑込み深さ寸法Ｄ１は、Ｄ１＝６５ｍｍに設定されている。
【００２６】
＜排水立て管９０について＞
排水立て管９０は、長さ寸法以外は上記実施形態１の排水立て管４０と同様であり、下端部９２が排水管継手７２の上受け口７４ａに挿入接続される一方、上端部９４にはソケット８０が接続される。この排水立て管９０は、全長Ｌが、Ｌ＝１６２０ｍｍに設定されている。
【００２７】
＜ソケット２０について＞
図９は、実施形態２に係るソケット８０の縦断面図である。ソケット８０は、直管状の頸部８４を有し、その上部に境界拡開部８８を介して上階の排水管継手７２の下端直管部７６が挿入接続される上部受け口部８２を備えており、下端に排水立て管９０の上端部９４が接続される立て管連結部８６が設けられている。
立て管連結部８６は、いわゆるメカニカル形の連結形式をとるものであり、その構成は上記実施形態１の立て管連結部２６と同様であるので、図９においては、立て管連結部８６の構成部材を上記実施形態１と同じ符号で示し、詳細な説明は省略する。
上部受け口部８２は、その開口付近にＯリングパッキン５０が保持されている。Ｏリングパッキン５０の保持箇所の構成も上記実施形態１のパッキン取り付け部５４と同様であるので、図９においては、上記実施形態１と同じ符号で示し、詳細な説明は省略する。Ｏリングパッキン５０は、溝５２に保持されて上部受け口部８２の直管部８２ａの内周面よりも内方で排水管継手７２の下端直管部７６の外周面に接している。直管部８２ａの内径φは、φ＝１４４ｍｍに設定されており、直管部８２ａの内周面と下端直管部１６ｂの外周面との間の間隙Ｆは、Ｆ＝１３ｍｍに設定されている。上部受け口部８２の上端からＯリングパッキン５０の嵌合した溝５２の開口の中心線までの長さｄは、ｄ＝１０ｍｍに設定されている。上部受け口部８２と排水管継手７２の下端直管部７６とを水密な状態で確実に接続するのに必要な最小挿入寸法である必要呑込み深さＮは、Ｎ＝５０ｍｍに設定されている。上部受け口部８２の長さ（上部受け口部８２の上端部から直管部８２ａの下端までの長さ）Ｄｘは、Ｄｘ＝Ｎ＋Ｄ１＋Ｋ＝５０ｍｍ＋６５ｍｍ＋２０ｍｍ＝１３５ｍｍに設定されている。ここで、Ｄ１は上受け口７４ａの呑込み深さ寸法であり、Ｋはソケット８０と排水立て管９０とを連結した状態でやり取りする際に必要な排水管継手７２の上受け口７４ａと排水立て管９０の下端との隙間である。このように上部受け口部８２の長さＤｘが設定されていることにより、排水管継手７２の下端直管部７６が上部受け口部８２に必要呑込み深さＮ（５０ｍｍ）挿入された通常接続状態から、さらにＤ１＋Ｋ（６５ｍｍ＋２０ｍｍ＝８５ｍｍ）だけ深く挿入することができ、やり取り可能となっている。この点は、上記実施形態１と同様である。本実施形態のソケット８０は、頸部８４が長く形成されていることにより有効長Ｕ（通常状態における下端直管部７６の下端と排水立て管９０の上端面との距離）がＵ＝６００ｍｍに設定されている点で上記実施形態１のソケット２０とは寸法が異なっている。したがって、ソケット８０と排水立て管９０との連結体の全長Ｌｘは、Ｌｘ＝排水立て管９０の全長Ｌ＋ソケット８０の有効長Ｕ＋必要呑込み深さＮ＝１６２０ｍｍ＋６００ｍｍ＋５０ｍｍ＝２２７０ｍｍである。
【００２８】
次に、上記排水管設備７０の排水立て管９０の更新方法を説明する。本実施形態の排水管設備７０においても、上記実施形態１の第１の更新方法または第２の更新方法にて更新することができる。すなわち、第１の更新方法は、ソケット８０と排水立て管９０とをそれぞれ単独で取り外す更新方法であり、第２の更新方法は、ソケット８０と排水立て管９０とを連結したままでやり取りして取り外す更新方法である。本実施形態では、ソケット８０と排水立て管９０との連結体は、全長Ｌｘが２２７０ｍｍと長いため作業性や運搬性を考慮すれば、より好ましい更新方法は第１の更新方法である。
第１の更新方法では図１０（Ａ）に示すように、先ず、ボルト・ナット６９の締結を外し、ソケット８０からフランジ部材６４を分離してソケット８０の立て管連結部８６の連結を解除する（連結解除工程）。
次に、ソケット８０をやり取りして取り外す。すなわち、ソケット８０を上方に移動させることにより、ソケット８０の下部受け口部６０を排水立て管９０の上端部９４から引き抜き、続いてソケット８０を傾けて下方に移動させることにより、ソケット８０の上部受け口部８２を上階の排水管継手７２の下端直管部７６から引き抜く（ソケット撤去工程）。
次に、図１０（Ｂ）に示すように、排水立て管９０を下階の排水管継手７２の上受け口７４ａから引き抜くことにより排水立て管９０を取り外す（排水立て管撤去工程）。この第１の更新方法によれば、排水立て管４０は単独で取り外されるので、その長さはＬ＝１６２０ｍｍである。
【００２９】
本実施形態のソケット８０によれば、上記実施形態１の作用効果に加えて更に以下の作用効果を奏する。
すなわち、排水立て管９０の受け口の上端（ソケット８０の上端）から下端までの長さが必然的に長く設定される排水管設備７０においても、頸部２４をより長く設定することにより、受け口（ソケット８０）とは分離して排水立て管９０をより短い状態（Ｌ＝１６２０ｍｍ）で取り扱うことができる。
【００３０】
［実施形態３］
次に、図１１を参照しながら本発明の実施形態３について説明する。この実施形態３は、上記実施形態１のソケット２０において、上部受け口部２２のパッキン保持構造のみを変更した実施形態である。
図１１（Ａ）には、パッキンが保持されている様子を上記実施形態１に係る図６（Ａ）に対応した縦断面図として示し、図１１（Ｂ）には、パッキンが保持されていないときの様子を示した。本実施形態では、パッキンを保持するパッキン嵌合部は、奥部に突起３２ａを有する両斜面台形の溝３２として形成されている。この突起３２ａは両斜面台形溝３２の内面の全周に渡り環状に形成されている。パッキン３０は環状であり、その断面が切り欠き溝３０ａにより切り欠かれた略円形に形成されている。この切り欠き溝３０ａは環状パッキン３０の環状の外周に沿って全周に設けられている。環状パッキン３０の切り欠き溝３２ａと両斜面台形溝３２内の環状突起３２ａとを係合させた状態で両斜面台形溝３２に環状パッキン３０を嵌め合わせることにより環状パッキン３０が装着される。
このように、断面円形の環状パッキン（Ｏリングパッキン）３０に切り欠き溝３０ａを形成し、パッキン嵌合部（溝）３２内に設けられた突起３２ａに係合させる構成をとることにより滑り止めが可能である。なお、環状パッキン３０の切り欠き溝３０ａに突起３２ａが喰い込むことにより上部受け口部２２と環状パッキン３０とのシール性も向上する。
【００３１】
なお、本発明は上記の実施形態１〜３に限定されず、本発明の要旨を逸脱しない範囲内でその他種々の実施形態が考えられるものである。
例えば、ソケット２０，８０の有効長Ｕと排水立て管４０，９０の全長Ｌは上記実施形態に限定されず、階高及び排水管継手１２，７２の有効長とを考慮したうえでソケット２０，８０と排水立て管４０，９０とのそれぞれを単独で運搬し易い長さに設定される。その際、エレベータで運搬可能なことや、あるいは作業者が一人で楽に運べる重量等を考慮するとよい。
また、上記実施形態においては、上部受け口部２２，８２の寸法は、その長さＤｘが、必要呑込み深さＮ、上受け口１４ａの呑込み深さ寸法Ｄ１及びソケット２０，８０と排水立て管４０，９０とを連結した状態でやり取りするのに必要なくぐり代Ｋに基づき、Ｄｘ＝Ｎ＋Ｄ１＋Ｋに設定されており、直管部２２ａ，８２ａの内周面と下端直管部１６ｂ，７６の外周面との間隙ＦがＦ＝１３ｍｍに設定されている例を示した。この場合、ソケット２０，８０を単独でやり取りすることもできるし、ソケット２０，８０と排水立て管４０，９０とを連結した状態でもやり取りすることができる。しかし、上部受け口部２２，８２の寸法は、少なくともソケット２０，８０を単独でやり取り可能な寸法とされていればよい。その場合、その長さＤｘは、必要呑込み深さＮに、少なくとも、ソケット２０，８０を引き抜き可能とするのに必要な上方への移動距離を加えた長さに設定される。それにより、更新の際にはソケット２０，８０を排水立て管４０，９０とは分離して取り外すことができ、排水立て管４０，９０を切断することなく運搬性を確保することができる。なお、直管部２２ａ，８２ａの内周面と下端直管部１６ｂ，７６の外周面との間隙Ｆは８ｍｍ以上１５ｍｍ以下を目安に設定するとよい。
また、排水立て管４０，９０の材質は排水用塩ビライニング鋼管（ＤＶＬＰ）に限定されず、耐火二層管、排水用硬質塩化ビニル管、鋳鉄管等の各種の排水立て管を用いることができる。
【図面の簡単な説明】
【００３２】
【図１】本発明の実施形態１に係る排水管設備の側面図である。
【図２】本発明の実施形態１に係るソケットの拡大縦断面図である。
【図３】図２に示すソケットを下端直管部により深く挿入して傾倒させた状態を示すソケットの拡大縦断面図である。
【図４】本発明の実施形態１に係る排水管設備の第１の更新方法を示す側面図であり、Ａ図は連結解除工程〜ソケット撤去工程を示す図であり、Ｂ図は排水立て管撤去工程を示す図である。
【図５】本発明の実施形態１に係る排水管設備の第２の更新方法を示す側面図である。
【図６】Ａ図は本発明の実施形態１に係るソケットのパッキン取り付け部の拡大縦断面図であり、Ｂ，Ｃ図はパッキン取り付け部の変更例を示す拡大縦断面図である。
【図７】Ａ〜Ｃ図は本発明の実施形態１に係るソケットの上側パッキンの変更例を図６のＡ〜Ｃ図に対応して示す拡大縦断面図である。
【図８】本発明の実施形態２に係る排水管設備の側面図である。
【図９】本発明の実施形態２に係るソケットの拡大縦断面図である。
【図１０】本発明の実施形態２に係る排水管設備の第１の更新方法を示す側面図であり、Ａ図は連結解除工程〜ソケット撤去工程を示す図であり、Ｂ図は排水立て管撤去工程を示す図である。
【図１１】本発明の実施形態３にかかるソケットのパッキン取り付け部の拡大縦断面図であり、Ａ図はパッキンが装着されている状態を示す図であり、Ｂ図はパッキンを装着する前の状態を示す図である。
【符号の説明】
【００３３】
１０  排水管設備
１２  排水管継手
１４ａ      上受け口
１６ｂ      下端直管部
２０  ソケット
２２  上部受け口部
２２ａ      直管部
２６  立て管連結部
３０  環状パッキン（上側パッキン）
３０ａ      切り欠き溝
３２  両斜面台形溝
３２ａ      環状突起
４０  排水立て管
４２  （排水立て管の）下端部（下端挿し口）
４４  （排水立て管の）上端部
５０  Ｏリングパッキン（上側パッキン）
５２，５２ｂ，５２ｃ    溝
５６  台形パッキン（上側パッキン）
６０  下部受け口部
６２  下側パッキン
６４  フランジ部材
６４ａ      段差部
６６  テーパ上凹部
６８  鍔部
６９  ボルト・ナット
７０  排水管設備
７２  排水管継手
７４ａ      上受け口
７６  下端直管部
８０  ソケット
８２  上部受け口部
８２ａ      直管部
８４  頸部
８６  立て管連結部
９０  排水立て管
９２  （排水立て管の）下端部
９４  （排水立て管の）上端部
【図１】
0005242097.tif 000002
【図２】
0005242097.tif 000003
【図３】
0005242097.tif 000004
【図４】
0005242097.tif 000005
【図５】
0005242097.tif 000006
【図６】
0005242097.tif 000007
【図７】
0005242097.tif 000008
【図８】
0005242097.tif 000009
【図９】
0005242097.tif 000010
【図１０】
0005242097.tif 000011
【図１１】
0005242097.tif 000012